(57)【特許請求の範囲】
【請求項１】
袋本体の開口部にオーバーテープを冠せ、袋本体の開口部を一重環縫いで封緘した重包装袋であって、
オーバーテープの一側に緊締当て板を当てがい、縫い糸を緊締当て板、オーバーテープの一側面、袋本体の他側面、オーバーテープの他側面の順に一重環縫いに縫いこんだ袋において、上記緊締当て板が、下記４種の群より選ばれたものであることを特徴とする開封容易袋。
（１）反発弾性を有するらせん状に巻いたクレープ紙；
（２）断面ほぼ円形の剛性の芯体と、該芯体をほぼ半円状に囲む反発弾性を有するクレー プ紙；
（３）断面ほぼ円形の剛性の芯体；
（４）断面ほぼ円形の剛性の芯体と、該芯体を囲む反発弾性を有するクレープ紙；
【請求項２】
縫い糸で縫い込んだ縫い終わりの終点の緊締当て板とオーバーテープの間がのり付けされた請求項１記載の開封容易袋。
【請求項３】
縫い糸で縫い込んだ緊締当て板の長全幅にわたり、オーバーテープの一側面においてのり付けされた請求項１記載の開封容易袋。
【発明の詳細な説明】
【０００１】
【発明の属する技術分野】
袋本体にオーバーテープを冠せ、袋本体の開口部を一重環縫いにより封緘した重包装袋からなる開封容易袋。
【０００２】
【従来技術】
従来の一重環縫いにより、開口部を封緘した重包装袋は、運送中に縫い糸の一重環縫いがほどけて開封してしまうという恐れがあった。また二重環縫いを採用すると、上糸と下糸の２つの糸を使用しなければならないという欠点があった。
【０００３】
【解決しようとする課題】
重包装袋において開口部を一重環縫いの縫い糸により封緘したとき、その封緘部が運送中ほどけないようにすること。
【０００４】
【技術的手段】
本発明は、下記の構成からなるものである。
袋本体の開口部にオーバーテープを冠せ、袋本体の開口部を一重環縫いで封緘した重包装袋であって、
オーバーテープの一側に緊締当て板を当てがい、縫い糸を緊締当て板、オーバーテープの一側面、袋本体の他側面、オーバーテープの他側面の順に一重環縫いに縫いこんだ袋において、上記緊締当て板が、下記４種の群より選ばれたものであることを特徴とする開封容易袋。
（１）反発弾性を有するらせん状に巻いたクレープ紙；
（２）断面ほぼ円形の剛性の芯体と、該芯体をほぼ半円状に囲む反発弾性を有するクレー プ紙；
（３）断面ほぼ円形の剛性の芯体；
（４）断面ほぼ円形の剛性の芯体と、該芯体を囲む反発弾性を有するクレープ紙；
【０００６】
そして、緊締当て板４に反撥弾性および／あるいは剛性を付与し、一重環縫いの縫い糸３をほどけないようにする。
【０００７】
【第１の実施の形態】
まず、図１〜５に示された第１の実施の形態について説明する。
図１〜５において、
１：袋本体、１ｈ：糸穴、
２：オーバーテープ、２ｈ：糸穴、
３：縫い糸、
４，４ａ，４ｂ，４ｃ，４ｄ：緊締当て板、４ｈ：糸穴、４ｂ１：芯体、４ｂ２：クレー  プ紙、４ｄ１：芯体、４ｄ２：クレープ紙、
５：のり付け部（部分的）
【０００８】
第１の実施の形態では、本発明の重包装袋は、袋本体１の開口部にオーバーテープ２を冠せ、さらにオーバーテープ２の一側面に、反発弾性を有するらせん状に巻かれたクレープ紙からなる緊締当て板４を当てがい、オーバーテープ２の糸穴２ｈ，２ｈ、袋本体１の糸穴１ｈ，１ｈ、緊締当て板４の糸穴４ｈに縫い糸３を縫い込み、一重環縫いされる。
【０００９】
図１はその分解斜視図、図２は緊締当て板４の反対側面から見た斜視図、図３は緊締当て板４側から見た斜視図である。
【００１０】
図２，図４に示すように、縫い糸３は始点３１から緊締当て板４、オーバーテープ２一側面の糸穴２ｈ、袋本体１の一側面の糸穴１ｈ、他側面の糸穴１ｈ、オーバーテープ２の他側面の糸穴２ｈを縫い込み、オーバーテープ２の他側面に出て、引っ掛け部３２を作り、さらに反転して、緊締当て板４側に戻り、再び、緊締当て板４の反対側面に出る。
【００１１】
そして前記引っ掛け部３２に係合部３３が係合して反転する。以下同様の経路を辿り、終点３４はオーバーテープ２上ののり付け部５でのり付けされる。
【００１２】
第１の形態では、緊締当て板４ａは、図１、図３、図５に示すように、らせん状に巻かれた形状のクレープ紙で構成されており、図５のように、縫い糸の始点３１から順次、緊締当て板４の糸穴４ｈ，４ｈ，４ｈ，４ｈを縫い、オーバーテープ２、袋本体１を貫通する。
【００１３】
もし、縫い糸３が何等かの外力により引っ張られても、緊締当て板４が一重環縫いの縫い糸３を緊締しているので容易にほどかれることがない。
【００１４】
【第２の実施の形態】
つぎに図６に示された第２の実施の形態について説明する。
図６では、緊締当て板４ｂが、剛性を有した該芯体４ｂ１を断面ほぼ半円形のクレープ紙４ｂ２が囲んでいるため、クレープ紙４ｂ２が図６（ａ）の矢印方向に広がろうとする反撥弾性を有することと、芯体４ｂ１の剛性とにより、縫い糸３が縮まろうとする力に対抗して、一重環縫いがほどけることがない。
【００１５】
【第３の実施の形態】
つぎに図７に示される第３の実施の形態について説明する。
図７では、緊締当て板４ｃが断面円形の剛性体であるため、その剛性により縫い糸３のほどけようとする力を支承する。
【００１６】
【第４の実施の形態】
つぎに図８に示された第４の実施の形態について説明する。
図８では、緊締当て板４ｄが、剛性体の芯体４ｄ１と、該芯体４ｄ１を囲むらせん状のクレープ紙４ｄ２からなる。したがって、緊締当て板４ｄは反撥弾性と、剛性とを有し、縫い糸３のほどけようとする力を減殺する。
【００１７】
【第５の実施の形態】
つぎに図９に示した第５の実施の形態について説明する。
図１〜４の実施の形態では、縫い糸３の終点３４がのり付けされてオーバーテープ２に固定されている。このように終点３４をのり付けすることにより、一応の縫い糸３のほどけるのを防止できる。しかし第５の実施の形態では、縫い糸３をその全長にわたって、オーバーテープ２の他側面においてのり付けされる。このようにして、第５の実施形態では、縫い糸３を確実に固定するので、ほどける心配はない。
【００１８】
【効果】
緊締当て板４をオーバーテープ２の一側に当てがい、縫い糸３で一重環縫いしたので、緊締当て板４の反撥弾性により、縫い糸３が緊締され、ほどけてしまうことを防止する。
【図面の簡単な説明】
【図１】  第１の実施形態の分解斜視図、
【図２】（ａ）  袋体の一側面から見た斜視図、
（ｂ）  図２ａの２ｂ部分拡大図、
（ｃ）  図２ａの２ｃ部分拡大図、
【図３】（ａ）  同じく他側面から見た斜視図、
（ｂ）  図３ａの３ｂ部分拡大図、
（ｃ）  図３ａの３ｃ部分拡大図、
【図４】（ａ）  図３−ｆ４ａ−４ａ断面図、
（ｂ）  図４（ａ）のｆ４ｂ−４ｂ断面図、
【図５】（ａ）  第１の実施形態の緊締当て板４ａの斜視図、
（ｂ）  図５ａの５ｂ部分拡大図、
（ｃ）  図５ａの５ｃ部分拡大図、
【図６】（ａ）  第２の実施形態の図４（ｂ）相当断面図、
（ｂ）  緊締当て板４ｂの分解斜視図、
（ｃ）  緊締当て板４ｂの斜視図、
【図７】（ａ）  第３の実施形態の図４（ｂ）相当断面図、
（ｂ）  緊締当て板４ｃの斜視図、
【図８】（ａ）  第４の実施形態の図４（ｂ）相当断面図、
（ｂ）  緊締当て板４ｃの斜視図、
【図９】  第５の実施形態の一側面の斜視図、
【符号の説明】
１：袋本体、１ｈ：糸穴、
２：オーバーテープ、２ｈ：糸穴、
３：縫い糸、
３１：始点、
３２：引っ掛け部、
３３：係合部、
３４：終点、
４ａ：第１の形態の緊締当て板、
４ｂ：第２の形態の緊締当て板、
４ｃ：第３の形態の緊締当て板、
４ｄ：第４の形態の緊締当て板、
４ｈ：糸穴、
５：のり付け部（図１，２，３，４，５，８）、
６：のり付け部（図９）。
【図１】
0003833819.tif 000002
【図２】
0003833819.tif 000003
【図３】
0003833819.tif 000004
【図４】
0003833819.tif 000005
【図５】
0003833819.tif 000006
【図６】
0003833819.tif 000007
【図７】
0003833819.tif 000008
【図８】
0003833819.tif 000009
【図９】
0003833819.tif 000010